(57)【特許請求の範囲】
【請求項１】
０．０５〜５質量％のポリエーテル変性シリコーン（Ａ）と、
０．０１〜２質量％の４級アンモニウム塩（Ｂ）と、
０．１〜５質量％の下記一般式〔II〕で示されるポリエチレングリコール（Ｃ）とを含有することを特徴とする帯電防止剤組成物であって、４級アンモニウム塩（Ｂ）がステアリルトリメチルアンモニウムクロライド、パルミチルトリメチルアンモニウムブロマイド、ジデシルジメチルアンモニウムクロライド又はジオクチルジメチルアンモニウムメトサルフェートである、帯電防止剤組成物。
ＨＯ−（ＣＨ2ＣＨ2Ｏ）ｎ−Ｈ        …〔II〕
（式中、ｎはエチレンオキシドの付加モル数を示し、ｎ＝４〜５０の範囲である。）
【請求項２】
成分（Ａ）が下記一般式（III）で示されるポリエーテル変性シリコーンである、請求項１に記載の帯電防止組成物。
ＣＨ3      ＣＨ3        ＣＨ3      ＣＨ3
|         ｜           ｜         ｜
ＣＨ3−ＳｉＯ−（ＳｉＯ）M−（ＳｉＯ）N−Ｓｉ−ＣＨ3        …（III）
|         ｜           ｜         ｜
ＣＨ3      ＣＨ3        Ｃ3Ｈ6     ＣＨ3
｜
Ｏ（Ｃ2Ｈ4Ｏ）p（Ｃ3Ｈ6Ｏ）qＲ
（式中、Ｍ及びＮはそれぞれの繰り返し単位の重合度を示し、Ｍ：１０〜１００００、Ｎ：１〜１０００、Ｍ＞Ｎである。ｐ及びｑはそれぞれエチレンオキシド及びプロピレンオキシドの重合度を示し、ｐ：２〜１００、ｑ：０〜５０である。Ｒは水素又は炭素数１〜４のアルキル基である。）
【請求項３】
成分（Ａ）、（Ｂ）及び（Ｃ）をエタノールと水の質量比がエタノール：水＝８０：２０〜５：９５の範囲である溶媒中に溶解した請求項１又は２に記載の帯電防止組成物。
【請求項４】
０．０５〜５質量％のポリエーテル変性シリコーン、０．０１〜２質量％の４級アンモニウム塩及び０．１〜５質量％の一般式〔II〕で示されるポリエチレングリコールを、エタノールと水の質量比がエタノール：水＝８０：２０〜５：９５の範囲である溶媒中に溶解することを含むことを特徴とする帯電防止剤組成物の調製方法であって、４級アンモニウム塩（Ｂ）がステアリルトリメチルアンモニウムクロライド、パルミチルトリメチルアンモニウムブロマイド、ジデシルジメチルアンモニウムクロライド又はジオクチルジメチルアンモニウムメトサルフェートである、帯電防止剤組成物の調製方法。
ＨＯ−（ＣＨ2ＣＨ2Ｏ）ｎ−Ｈ        …〔II〕
（式中、ｎはエチレンオキシドの付加モル数を示し、ｎ＝４〜５０の範囲である。）
【請求項５】
請求項１から３のいずれか１項に記載の帯電防止剤組成物をスプレー容器に充填した帯電防止剤スプレー。
【発明の詳細な説明】
【技術分野】
【０００１】
本発明は衣料用の帯電防止剤組成物に関する。更に詳しくは帯電防止性に優れ、且つ優れた抗菌性を有し、使用時の安全性及び特に低温時における安定性にも優れた帯電防止剤組成物に関する。
【背景技術】
【０００２】
近年、ファッションの多様化に伴い様々な新素材を用いた衣料が登場してきている。これら新素材の大半は繊維断面を異形化することで新しい風合いを演出しようとするものである。これら新素材の素材としては加工のし易さから必然的にポリエステルやナイロンといった合成繊維が用いられている。また、衣料のカジュアル化も進み、それに伴いフリースといった新形態衣料も登場してきた。こちらも加工のし易さからポリエステルが用いられている。これらポリエステルを始めとする合成繊維を用いた衣類の欠点として帯電のし易さが挙げられる。衣類の帯電を防止する手段としては、古くから、ジ長鎖４級アンモニウム塩を主剤とした帯電防止剤組成物が知られている（例えば、特許文献１、特許文献４、特許文献７、及び特許文献８参照。）。更には、特殊リン酸エステル化合物を用いる方法も知られている（例えば、特許文献２参照。）。
一方で、昨今の消費者動向を見るとＯ−１５７やＳＡＲＳ等の影響から衛生嗜好が高まり、特にストッキング等にも使用する帯電防止剤組成物としても抗菌に対する要求が強まっている。抗菌を訴求する消臭抗菌剤の技術としては４級アンモニウム塩型抗菌剤を用いた技術がある（例えば、特許文献３、特許文献５、及び特許文献６参照。）。しかしながら、抗菌性と帯電防止性を兼ね備えた帯電防止剤組成物は未だ得られていないのが現状である。特に、帯電防止性として、静電気を除去する能力と共に、静電気の発生を防止する能力に優れた帯電防止剤組成物は得られていない。前者の能力に劣る場合には、静電気が発生した衣類にスプレー等で処理を行っても、静電気が除去できずにまとわり付き等の問題が解決されない。一方で後者の能力に劣る場合には、一旦、帯電防止剤組成物で処理を行い静電気が除去されても、着用中の摩擦により再び静電気が発生してしまい、何度となく処理を繰り返さなければならない煩わしさに繋がるといった問題が生じる。
更には、家庭用としての使用場面を想定すると、使用性の点でスプレーとして噴霧使用する形態が考えられる。ところが、有機溶媒を用いた帯電防止剤組成物をスプレー噴霧すると有機溶剤特有の臭気が部屋中にこもるといった問題点や、スプレー時に飛んだ微粒子のミストを吸引すると“ムセ”がおこり咳き込むといった問題点もある。これらを解決する為の手法として、溶媒として適度に水を含有したエタノールを使用する方法がある（例えば、特許文献８参照。）。しかしながら、本手法を用いても“ムセ”は軽減されるものの、特に低温での安定性の点で問題があり、長期保存で沈殿が生成するといった課題が残されている。
【０００３】
【特許文献１】特開昭５６−１２０７８８号公報
【特許文献２】特開平２−２０２９７７号公報
【特許文献３】特開平８−１７５９０５号公報
【特許文献４】特開平１０−８８１１３号公報
【特許文献５】特開２００１−７０４２３号公報
【特許文献６】特開２００３−９６６６７号公報
【特許文献７】特許第１３２３０６９号公報
【特許文献８】特許第２８３８２２９号公報
【発明の開示】
【発明が解決しようとする課題】
【０００４】
解決しようとする課題は、優れた帯電防止性（特に、静電気を除去する能力と共に静電気の発生を防止する能力を併せ持つ）と優れた抗菌性を両立させ、且つスプレー噴霧時の“ムセ”を低減すべく、含水溶媒を使用しても長期保存安定性に優れた帯電防止剤組成物を提供することである。
【課題を解決するための手段】
【０００５】
本発明者らは、上記課題を克服するために鋭意検討を行った結果、ポリエーテル変性シリコーン、特定の４級アンモニウム塩及び特定のポリエチレングリコールの3成分を組み合わせることで優れた帯電防止性と優れた抗菌性が両立することが明らかとなった。またこれらの混合基剤はスプレー噴霧時の“ムセ”を低減可能な含水溶媒中でも安定に存在することが明らかとなり、本発明に至った。
本発明は、下記成分（Ａ）及び成分（Ｂ）及び成分（Ｃ）を含有することを特徴とする帯電防止剤組成物を提供する。
（Ａ）ポリエーテル変性シリコーン：０．０５〜５質量％
（Ｂ）下記一般式〔Ｉ〕で示される４級アンモニウム塩：０．０１〜２質量％
（Ｃ）下記一般式〔II〕で示されるポリエチレングリコール：０．１〜５質量％
【０００６】
Ｒ2
｜+
Ｒ1−Ｎ−Ｒ4  Ｘ-        …〔Ｉ〕
｜
Ｒ3
（式中、Ｒ1及びＲ2はそれぞれ炭素数１〜２２のアルキル基又はアルケニル基であり、Ｒ1とＲ2の炭素数の合計は１２〜２６である。Ｒ3及びＲ4はそれぞれ炭素数１〜２のアルキル基である。ＸはＣｌ、Ｂｒ、ＣＨ3ＳＯ3、ＣＨ3ＣＨ2ＳＯ3から選択される１種または２種以上である。）
【０００７】
ＨＯ−（ＣＨ2ＣＨ2Ｏ）ｎ−Ｈ        …〔II〕
（式中、ｎはエチレンオキシドの付加モル数を示し、ｎ＝３〜７０の範囲である。）
【発明の効果】
【０００８】
本発明の帯電防止剤組成物は、様々な繊維製品に対し優れた帯電防止性と優れた抗菌性を発現させるのみならず、使用時の“ムセ”を低減し、また低温での長期保存における安定性にも優れたものである。
【発明を実施するための最良の形態】
【０００９】
以下、本発明を詳細に説明する。本発明における成分（Ａ）はポリエーテル変性シリコーンである。好ましいポリエーテル変性シリコーンとしては、例えば下記一般式（III）で示されるアルキルシロキサンとポリオキシアルキレンの共重合物が挙げられる。
【００１０】
ＣＨ3      ＣＨ3        ＣＨ3      ＣＨ3
|         ｜           ｜         ｜
ＣＨ3−ＳｉＯ−（ＳｉＯ）M−（ＳｉＯ）N−Ｓｉ−ＣＨ3        …（III）
|         ｜           ｜         ｜
ＣＨ3      ＣＨ3        Ｃ3Ｈ6     ＣＨ3
｜
Ｏ（Ｃ2Ｈ4Ｏ）p（Ｃ3Ｈ6Ｏ）qＲ
（式中、Ｍ及びＮはそれぞれの繰り返し単位の重合度を示し、Ｍ：１０〜１００００、Ｎ：１〜１０００、Ｍ＞Ｎである。ｐ及びｑはそれぞれエチレンオキシド及びプロピレンオキシドの重合度を示し、ｐ：２〜１００、ｑ：０〜５０である。Ｒは水素又は炭素数１〜４のアルキル基である。）
【００１１】
本発明で用いるポリエーテル変性シリコーンの具体的な例としては東レ・ダウ  コーニング・シリコーン（株）製のＳＨ３７７２Ｍ、ＳＨ３７７５Ｍ、ＳＨ３７４８、ＳＨ３７４９、ＳＦ８４１０、ＳＨ８７００、ＢＹ２２−００８、ＢＹ２２−０１２、ＳＦ８４２１、信越化学工業（株）製のＫＦ３５２Ａ、ＫＦ６００８、ＫＦ６１５Ａ、ＫＦ６０１６、ＫＦ６０１７、ＧＥ東芝シリコーン（株）製のＴＳＦ４４５０、ＴＳＦ４４５２、日本ユニカー（株）製のＳＩＬＷＥＴ  Ｌ−７００１、ＳＩＬＷＥＴ  Ｌ−７００２、ＳＩＬＷＥＴ  Ｌ−７６０２、ＳＩＬＷＥＴ  Ｌ−７６０４、ＳＩＬＷＥＴ  ＦＺ−２１０４、ＳＩＬＷＥＴ  ＦＺ−２１２０、ＳＩＬＷＥＴ  ＦＺ−２１６１、ＳＩＬＷＥＴ  ＦＺ−２１６２、ＳＩＬＷＥＴ  ＦＺ−２１６４、ＳＩＬＷＥＴ  ＦＺ−２１７１等が挙げられ、これらを１種単独で用いても良く、２種以上を組み合わせて用いても良い。
本発明で用いるポリエーテル変性シリコーンは帯電防止剤組成物中に０．０５〜５質量％配合される。ポリエーテル変性シリコーンの配合量が上記範囲内であれば優れた帯電防止性能が得られ、さらに衣類に噴霧した際のシミ発生や、衣類のベタツキ等が生じることもない。帯電防止性能等の観点から、ポリエーテル変性シリコーンの配合量は、好ましくは０．１〜４質量％、更に好ましくは０．２〜３質量％である。
【００１２】
本発明における成分（Ｂ）は、下記一般式〔Ｉ〕で示される４級アンモニウム塩である。本発明の成分（Ｂ）は本来有している抗菌性能に加え、成分（Ａ）との混合により相乗的に帯電防止能（中でも発生した静電気を除去する能力）を向上させる効果を示す事が明らかとなった。
【００１３】
Ｒ2
｜+
Ｒ1−Ｎ−Ｒ4  Ｘ-        …〔Ｉ〕
｜
Ｒ3
（式中、Ｒ1及びＲ2はそれぞれ炭素数１〜２２のアルキル基又はアルケニル基であり、Ｒ1とＲ2の炭素数の合計は１２〜２６である。Ｒ3及びＲ4はそれぞれ炭素数１〜２のアルキル基である。ＸはＣｌ、Ｂｒ、ＣＨ3ＳＯ3、ＣＨ3ＣＨ2ＳＯ3から選択される１種または２種以上である。）
【００１４】
本発明で用いる４級アンモニウム塩は上記一般式〔Ｉ〕におけるＲ1とＲ2の炭素数合計が上記範囲内であれば皮膚に対する刺激を抑えることができ、組成物の劣化による臭気の発生を抑えることもできる。また、優れた帯電防止性能及び抗菌性が得られる。これらの観点から、Ｒ1とＲ2の炭素数合計は、好ましくは１４〜２４の範囲である。
本発明で用いる４級アンモニウム塩の具体的な例としては、牛脂アルキルトリメチルアンモニウムクロライド、牛脂アルキルトリメチルアンモニウムブロマイド、牛脂アルキルトリメチルアンモニウムメチルサルフェート、牛脂アルキルエチルジメチルアンモニウムエチルサルフェート、ステアリルトリメチルアンモニウムクロライド、ステアリルトリメチルアンモニウムブロマイド、ステアリルトリメチルアンモニウムメチルサルフェート、ステアリルエチルジメチルアンモニウムエチルサルフェート、オレイルトリメチルアンモニウムクロライド、オレイルトリメチルアンモニウムブロマイド、オレイルトリメチルアンモニウムメチルサルフェート、オレイルエチルジメチルアンモニウムエチルサルフェート、パルミチルオレイルトリメチルアンモニウムクロライド、パルミチルトリメチルアンモニウムブロマイド、パルミチルオレイルトリメチルアンモニウムメチルサルフェート、パルミチルエチルジメチルアンモニウムエチルサルフェート、ジデシルジメチルアンモニウムクロライド、ジデシルジメチルアンモニウムブロマイド、ジデシルジメチルアンモニウムメチルサルフェート、ジデシルメチルエチルアンモニウムエチルサルフェート、ジドデシルジメチルアンモニウムクロライド、ジドデシルジメチルアンモニウムメチルサルフェート、ジドデシルエチルメチルアンモニウムエチルサルフェート、ジオクチルジメチルアンモニウムクロライド、ジオクチルジメチルアンモニウムメチルサルフェート、ジオクチルエチルメチルアンモニウムエチルサルフェート、デシルドデシルジメチルアンモニウムクロライド、デシルドデシルジメチルアンモニウムメチルサルフェート、デシルドデシルエチルメチルアンモニウムエチルサルフェート、デシルオクチルジメチルアンモニウムクロライド、デシルオクチルジメチルアンモニウムメチルサルフェート、デシルオクチルエチルメチルアンモニウムエチルサルフェート等が挙げられる。上記４級アンモニウム塩の中でも、一般式〔Ｉ〕において、Ｒ1とＲ2とが同一である場合にはＲ1とＲ2の炭素数の合計は１２〜２０であり、Ｒ1とＲ2とが異なる場合にはＲ1とＲ2の炭素数の合計は１７〜２６である４級アンモニウム塩は帯電防止性能等の点で好ましい。さらに好ましくは、ジデシルジメチルアンモニウムクロライド、ジデシルジメチルアンモニウムメチルサルフェート、ジデシルメチルエチルアンモニウムエチルサルフェート、ステアリルトリメチルアンモニウムクロライド、ステアリルトリメチルアンモニウムメチルサルフェート、及びステアリルエチルジメチルアンモニウムエチルサルフェートである。
本発明で用いる４級アンモニウム塩は帯電防止剤組成物中に０．０１〜２質量％配合される。４級アンモニウム塩の配合量が上記範囲内であれば、優れた帯電防止性能が得られる。また、皮膚に対する刺激を抑えることができると共に、帯電防止剤組成物を噴霧した際の“ムセ”及び組成物の劣化による臭気の発生の抑制にも効果的である。４級アンモニウム塩の配合量は、帯電防止性能等の観点から、好ましくは０．０５〜１質量％、更に好ましくは０．０５〜０．５質量％である。
【００１５】
本発明における成分（Ｃ）は、下記一般式〔II〕で示されるポリエチレングリコールである。本発明の成分（Ｃ）は、成分（Ｂ）との混合により相乗的に帯電防止能（中でも静電気の発生を防止する能力）を向上させる効果を示す事が明らかとなった。
【００１６】
ＨＯ−（ＣＨ2ＣＨ2Ｏ）ｎ−Ｈ        …〔II〕
（式中、ｎはエチレンオキシドの付加モル数を示し、ｎ＝３〜７０の範囲である。）
【００１７】
上記一般式〔II〕におけるエチレンオキシドの付加モル数が上記範囲内であれば、優れた帯電防止性能が得られる。エチレンオキシドの付加モル数は、帯電防止性能の観点から、好ましくは４〜５０の範囲である。
本発明で用いるポリエチレングリコールは帯電防止剤組成物中に０．１〜５質量％配合される。ポリエチレングリコールの配合量が上記範囲内であれば、優れた帯電防止性能が得ることができ、また衣類に噴霧した際のシミ発生や、衣類のベタツキ等が生じることもない。ポリエチレングリコールの配合量は、帯電防止性能の観点から、好ましくは０．２〜４質量％、更に好ましくは０．２〜３質量％である。
【００１８】
本発明の帯電防止剤組成物は、任意の溶媒に溶解して使用することができる。中でも、乾燥時間が短い上に、臭気が少なく使用時に周辺環境に悪影響を与える懸念がないことから、好ましくは、エタノールと水の質量比がエタノール：水＝８０：２０〜５：９５の範囲であるエタノール水溶液に溶解して使用することが望ましい。エタノールと水の質量比が上記範囲内であれば、さらに噴霧使用時の“ムセ”の発生を抑制することができる。
本発明の帯電防止剤組成物はスプレー容器に充填し、噴霧して使用することができる。具体的に使用されるスプレー容器としてはエアゾールスプレー容器、トリガースプレー容器（直圧型あるいは蓄圧型）、フィンガースプレー容器等が挙げられる。スプレー容器に充填して使用する場合には、噴射剤としてＬＰＧ（液化プロパンガス）、ＤＭＥ（ジメチルエーテル）、炭酸ガス等が使用され、これらは単独で使用しても良く、２種以上を混合して使用しても良い。トリガースプレー容器に充填して使用する場合、トリガースプレー容器の例としては特開平９−２６８４７３号公報、特開平９−２５６２７２号公報、特開平１０−７６１９６号公報等に記載のものが挙げられる。フィンガースプレー容器充填して使用する場合、フィンガースプレー容器の例としては特開平９−２５６２７２号公報等に記載のものが挙げられる。
本発明の帯電防止剤組成物は、前期必須成分以外に以下のような任意成分を本発明の効果を損なわない範囲で配合することが可能である。
１）エチレングリコール、プロピレングリコール等の多価アルコール
２）メチルパラベン等の防腐剤
３）香料
４）酸、アルカリ等のｐＨ調整剤
【００１９】
本発明の帯電防止剤組成物は、前期スプレー容器に充填して噴霧使用するだけではなく、保管を目的としてスタンディングパウチに充填して保管することも可能である。スタンディングパウチの本体及び注ぎ口の形状は問わず、構成材料としても公知の方法により製造されるプラスチックフィルムの多層積層構造のものが用いられる。
本発明の帯電防止剤組成物を使用する対象の繊維としては特に限定されるものではなくポリエステル、ナイロン、アクリル等の合成繊維、アセテート等の半合成繊維、レーヨン、テンセル、ポリノジック等の再生繊維、綿、ウール、絹等の天然繊維及びこれら各種繊維の混紡品、混織品、混編品等幅広い用途に用いることができる。
【実施例】
【００２０】
下記に実施例及び比較例で使用した成分を示す。
【表１】
0004611626.tif 000002
【００２１】
下記に実施例及び比較例で使用した容器を示す。
トリガースプレー：吉野工業所（株）製、型番：ＹＴ−８７Ｌ（噴口径：０．６ｍｍ）
エアゾール容器：
缶：アルミニウム  ＪＩＳ  Ａ−３００４Ｐ内面コート缶（東洋製罐（株）製）
バルブ：２−ＧＤＥＳ−バルブ  ＤＹ０２−Ｈ０４２２２ｘＣ９２Ｒ（東洋エ
アゾール製）
ボタン：ＧＤＥ−ボタン（キタノ製作（株）製）
ガラス瓶：広口規格瓶ＰＳ−Ｎｏ．１１（１１０ｍＬ容）
【００２２】
〔帯電防止性評価方法Ａ：半減期測定（静電気を除去する能力）〕
試験布として市販のポリエステルサテンを用いた。この試験布を２０ｃｍ×３０ｃｍに裁断したものに対し、調整した帯電防止剤組成物をトリガースプレイヤーまたはエアゾールスプレーにて均一に３ｇ噴霧し、２０℃、４５％ＲＨにて２４時間調湿した。その後、ＳＴＡＴＩＣ  ＨＯＮＥＳＴＭＥＴＥＲ  ＴＹＰＥＳ−５１０９（宍戸商会製）を用いてＪＩＳ−Ｌ−１０９４、Ａ法に準じて半減期の測定を行った。
判定基準  ◎：半減期２秒未満
：半減期２秒以上、５秒未満
：半減期５秒以上、３０秒未満
×：半減期３０秒以上
【００２３】
〔帯電防止性評価方法Ｂ：摩擦帯電圧（静電気の発生を防止する能力）〕
試験布として市販のポリエステルサテンを用いた。この試験布を２０ｃｍ×３０ｃｍに裁断したものに対し、調整した帯電防止剤組成物をトリガースプレイヤーまたはエアゾールスプレーにて均一に３ｇ噴霧し、２０℃、４５％ＲＨにて２４時間調湿した。その後、ＲＯＴＡＲＹ  ＳＴＡＴＩＣ  ＴＥＳＴＥＲ（興亜商会製）を用いてＪＩＳ−Ｌ−１０９４、Ｂ法に準じて摩擦帯電圧の測定を行った。尚、摩擦布としては綿金巾３号を用いた。
判定基準  ◎：摩擦帯電圧２００Ｖ未満
：摩擦帯電圧２００Ｖ以上、５００Ｖ未満
：摩擦帯電圧５００Ｖ以上、１０００Ｖ未満
×：摩擦帯電圧１０００Ｖ以上
【００２４】
〔抗菌力評価方法〕
調整した帯電防止剤組成物：８ｍＬ、ＢＳＡ０．３％水溶液（牛血清アルブミン  Ｎｏ．Ａ−４３７８  ＡＬＢＭＩＮ，ＢＯＶＩＮＥ  Ｃｒｙｓｔａｌｌｉｚｅｄ  ａｎｄ  ｌｙｏｐｈｉｌｉｚｅｄ：ＳＩＧＭＡ  ＣＨＭＩＣＡＬ  ＣＯＭＰＡＮＹ製）：１ｍＬ、菌液（大腸菌  Ｅ．ｃｏｌｉ  ＩＦ０３３０１  菌数が１０の９乗個となるように調整）：１ｍＬを試験管内で調整し、２５℃にて５分間放置した。この菌液を菌数が１０の６乗個になるまで希釈した後、希釈菌液０．５ｍＬをサンプリングした。サンプリングした希釈菌液をＳＣＤＬＰ培地（Ｓｏｙｂｅｅｎ−ｃａｓｅｉｎ  Ｄｉｇｅｓｔ  Ａｇａｒ  ｗｉｔｈ  Ｌｅｃｉｔｈｉｎ  ＆  Ｐｏｌｙｓｏｒｂａｔｅ  ８０  ＤＡＩＧＯ  ：日本製薬（株）製）：４．５ｍＬと混合した。更にこの混合菌液１ｍＬとＳＣＤＬＰ培地２０ｍＬを混合し、シャーレにて３７℃で２４時間培養し、菌数を測定した。
判定基準  ○：初期菌数より１０の５乗個／ｍＬ以上減少
△：初期菌数より１０の３乗個／ｍＬ以上、１０の５乗個／ｍＬ未満減少
×：初期菌数より１０の３乗個／ｍＬ未満の減少
【００２５】
〔安定性試験評価方法〕
調整した帯電防止剤組成物１００ｍＬを１１０ｍＬ容のガラス瓶に充填後、密栓した後−５℃にて２週間保存した。保存後の外観を下記基準にて判定した。
判定基準  ○：透明均一
：僅かに沈澱が生成
×：多量の沈澱が生成
【００２６】
〔“ムセ”の評価方法〕
直径３０ｃｍの半球状ボウルにエアゾール型帯電防止剤では５秒間、トリガースプレイヤーでは３ストローク噴霧し、反射してきた霧に口や鼻を近づけて“ムセ”の程度を判定した。
判定基準  ◎：全く“ムセ”がない
○：僅かに刺激を感じるが“ムセ”はない
×：刺激を感じ、“ムセ”る
××：強い刺激を感じ、咳き込む
【００２７】
〔帯電防止剤組成物の調整〕
トリガースプレイヤーでの評価やガラス瓶での安定性試験は、表−２〜４に準じて常温にて攪拌混合により調整した帯電防止剤組成物を充填して評価を行った。
エアゾールでの評価は、表−５に準じて常温にて攪拌混合により調整した帯電防止剤組成物を充填、クリンチ（閉缶）後、噴射ガスを所定量充填して評価を行った。尚、噴射ガスとしてはＬＰＧ：ＤＭＥ＝６０：４０（質量比）の混合ガスを使用し、質量比で帯電防止剤組成物６５に対し混合ガス３５の割合で充填した。
【００２８】
〔トリガースプレイヤーでの評価〕
【表２】
0004611626.tif 000003
【００２９】
〔トリガースプレイヤーでの評価〕
【表３】
0004611626.tif 000004
【００３０】
〔トリガースプレイヤーでの評価〕
【表４】
0004611626.tif 000005
【００３１】
〔トリガースプレイヤーでの評価〕
【表５】
0004611626.tif 000006
【００３２】
〔エアゾールスプレイヤーでの評価〕
【表６】
0004611626.tif 000007
【００３３】
香料組成物（表中の配合量は香料組成物中の質量％）
【表７】
0004611626.tif 000008
【００３４】
【表８】
0004611626.tif 000009
【００３５】
【表９】
0004611626.tif 000010
【００３６】
【表１０】
0004611626.tif 000011
【００３７】
【表１１】
0004611626.tif 000012
【００３８】
【表１２】
0004611626.tif 000013
【００３９】
【表１３】
0004611626.tif 000014
【００４０】
【表１４】
0004611626.tif 000015
【００４１】
【表１５】
0004611626.tif 000016
【００４２】
【表１６】
0004611626.tif 000017